(57)【要約】      （修正有）【課題】季節に応じた防寒機能の向上のみならず、１０〜２０通りの組合せの選択使用により、バラエティーな使用を可能としてファッション性に富んだファッションマフラーを提供する。【解決手段】略同じ長さで、かつ異なる幅の帯状材を夫々異なる素材で一対形成し、これら一対の帯状材を同一面状に重ね合わせてその中央部の一定幅部分を縫い合わせ、前記縫い合わせの部分を首部にかけ、左右に分かれた異素材による２重部分からなる端部４本を、左右から１又は２本選択して胸部で結び、または任意の端部を首部に巻き、或いは任意の部分を胸部にたらし、バラエティーにファッション使用できる長さとしたファッションマフラー。【選択図】図１
0003132785.tif 000002
【実用新案登録請求の範囲】
【請求項１】
略同じ長さで、かつ異なる幅の帯状材を夫々異なる素材で一対形成し、これら一対の帯状材を同一面状に重ね合わせてその中央部の一定幅部分を縫い合わせ、
前記縫い合わせの部分を首部にかけ、左右に分かれた異素材による２重部分からなる端部４本を、左右から１又は２本選択して胸部で結び、または任意の端部を首部に巻き、或いは任意の部分を胸部にたらし、バラエティーにファッション使用できる長さとしたことを特徴とするファッションマフラー。
【請求項２】
前記異なる素材は、タオルとタオル以外の織物とであり、かつタオル以外の織物の幅はタオルの幅の約半分であることを特徴とする請求項１記載のファッションマフラー。
【考案の詳細な説明】
【技術分野】
【０００１】
本考案は、略同じ長さで、かつ異なる幅の帯状材を夫々異なる素材で一対形成し、これら一対の帯状材を同一面状に重ね合わせてその中央部の一定幅部分を縫い合わせ、前記縫い合わせの部分を首部にかけ、左右に分かれた異素材による２重部分からなる端部４本を、左右から１又は２本選択して胸部で結び、または任意の端部を首部に巻き、或いは任意の部分を胸部にたらし、バラエティーにファッション使用できる長さとしたことを特徴とするファッションマフラーに関する。
【背景技術】
【０００２】
従来のマフラーとしては、例えば特開平１１−１８１６１０号公報、実開昭６３−１０２７２０号公報、実公昭２９−５６２２号公報、実公昭３６−１９３６号公報、実用新案登録第３１１１７４７号公報に示されるものの例がある。
【０００３】
特開平１１−１８１６１０号公報に示される簡易着脱型マフラー、及びスカーフ、ストールは、２重構造の本体側部に、これを首にかけた状態で、腹胸部で相互を接続できるようファスナー類を取付け、さらに本体の首回り部位に別体を取付けて、またさらに本体の両端部位を開閉可能の収納部としたものである。別体部分は内側に着装して首元を２重にすることで防寒効果を高めている。
【０００４】
しかし、ファスナー類により首元を締め、２重構造や別体により防寒効果を高め、収納部による利便性を図っているが、ファッション性を高めたものではない。
【０００５】
実開昭６３−１０２７２０号公報のマフラーは、左右に細長いマフラーで、首当り部を残して左右の夫々の端部を二股に裁断し、裾部４ヶ所を下方にたらしたり、首元で巻くことができるようにして、ファッション性を高めようとしたものである。
【０００６】
しかし、同一素材による１枚の素材を裁断して二股に分けたものであるので、首元、あるいは胸元に来る４ヶ所の裾部は同一物であり、バラエティーに富むものではなく、これをいかに処理しようとも十分にファッション性を高めるまでには至らなかった。
【０００７】
実公昭２９−５６２２号公報のマフラーは、織物、編物、組物その他適宜の材料で形成した細長片の適数（実施例では３枚）をフチとフチとを数個所接ぎ合わせて１枚とし、所々と接ぎ合わせたその中間部を分離部とし、分離部部分にマフラーの端部を挿入して引っ張ることにより、例えば頭部に被せ、あるいは首部に巻いたマフラーを着元でピンと張ることなどができるようにしたものである。
【０００８】
しかし、着元でピンと張ることはできるものの複数素材を交差させてファッション化を図ることなどはできず、バラエティーに富ませることなどはできなかった。
【０００９】
実用新案登録第３１１１７４７号公報のケープ及びマフラーは、肩にかけるケープと首に巻くマフラーを一体化し、ケープで肩を、マフラーで首を同時に暖めることができるようにしたものである。暖かく、ファッション性があるとされるが、複数素材の組合せの変更を行うことなどはできず、趣味に応じて着こなしできる性質のものではない。
【００１０】
一方、近年、タオルマフラーと称し、タオル生地を用いてファッション性の高いマフラーが商品化されている。これは、パイルの特性を生かし、優しさと軽快性を持たせたマフラーであり、若者を含めて幅広く愛用されているが、一本のタオル素地を用いてのものであるので、趣向に応じて風合いまで変化させて着こなすことまではできなかった。
【特許文献１】特開平１１−１８１６１０号公報、第１頁、図１
【特許文献２】実開昭６３−１０２７２０号公報、第１頁、第１図
【特許文献３】実公昭２９−５６２２号公報、第１頁、第１図
【特許文献４】実用新案登録第３１１１７４７号公報、第１頁、図１
【考案の開示】
【考案が解決しようとする課題】
【００１１】
本考案が解決しようとする課題は、長尺の異素材２重マフラーを構成することにより、当該マフラーを首部にかけたとき、左右に分かれた異素材による２重部分から成る端部４本を、左右から１又は２本選択して胸部で結び、または任意の端部を首部に回して巻き、或いは任意の部分を胸部にたらし、趣味、趣向に応じてバラエティーにファッション使用できるファッションマフラーを提供することを目的とする。
【課題を解決するための手段】
【００１２】
上記課題を解決することができる本考案のファッションマフラーは、略同じ長さで、かつ異なる幅の帯状材を夫々異なる素材で一対形成し、これら一対の帯状材を同一面状に重ね合わせてその中央部の一定幅部分を縫い合わせ、前記縫い合わせの部分を首部にかけ、左右に分かれた異素材による２重部分からなる端部４本を、左右から１又は２本選択して胸部で結び、または任意の端部を首部に巻き、或いは任意の部分を胸部にたらし、バラエティーにファッション使用できる長さとしたことを特徴とする。
【００１３】
前記異なる素材としては、例えばタオルとタオル以外の薄手の織物とであり、２重部分の組合せに応じてバラエティーにファッション使用できるよう、色合いを含めて適切な異素材が定められる。
【００１４】
バラエティーについて示すと、まず首部にかけたとき、素材や色合いを分けているので２重部分を表とするか裏とするか、前方胸部で２股に分けるか否か、左右から１又は２本の選択によって胸部で結ぶか否か、任意の端部を首部に巻くか否か、或いは任意の部分を胸部にたらすか否か等により、１０〜２０通りの組み合わせを作ることができ、使用者の趣味趣向に合わせてファッション性高く使用できる。
【００１５】
２重となり、首に巻くことができるので、冬季において防寒性が高いこと勿論であるが、任意の部分を胸部にたらしてファッション使用できるので通気性も高く、秋から春にかけて温度調節可能なファッションマフラーとすることができる。
【考案の効果】
【００１６】
本考案は、略同じ長さで、かつ異なる幅の帯状材を夫々異なる素材で一対形成し、これら一対の帯状材を同一面状に重ね合わせてその中央部の一定幅部分を縫い合わせ、前記縫い合わせの部分を首部にかけ、左右に分かれた異素材による２重部分からなる端部４本を、左右から１又は２本選択して胸部で結び、または任意の端部を首部に巻き、或いは任意の部分を胸部にたらし、バラエティーにファッション使用できる長さとしたことを特徴とするファッションマフラーであるので、使用者の趣味趣向に従って、１０〜２０通りの組合わせの内からの自由な選択によってバラエティーなファッションマフラーとすることができる。
【００１７】
特に、異なる素材としてタオルと、タオル以外の薄手の織物と１０〜２０通りの組合せの選択使用により、例えばタオルマフラーとショールないしストールを兼ね備えたファッションマフラーとすることができる。
【考案を実施するための最良の形態】
【００１８】
以下、添付図面を参照しつつ本考案を実施するための最適の形態を示す。図１は本考案の一実施形態を示すファッションマフラーの平面図、図３はその使い方を示す説明図である。
【００１９】
図１に示すように、本考案の一実施形態に係るファッションマフラーＦＭ１は、  略同じ長さＬで、かつ異なる幅Ｄ１、Ｄ２の帯状材１、２（第１、第２の帯状材とも呼ぶ）を夫々異なる素材Ａ、Ｂで一対形成し、これら一対の帯状材１、２を同一面状に重ね合わせてその中央部の一定幅部分を縫い合わせて縫い目３とし、図３に示すように、前記縫い目３を首部にかけ、左右に分かれた異素材による２重部分からなる端部４本１ａ、１ｂ、２ａ、２ｂを、左右から１又は２本選択して胸部で結び、または任意の端部を首部に巻き、或いは任意の部分を胸部にたらし、１０〜２０通りの組合せの選択使用により、バラエティーにファッション使用できる長さとしている。本例のファッションマフラーＦＭ１の長さは、具体的には１７０ｃｍである。幅Ｄ１は３２ｃｍである。
【００２０】
前記異なる素材Ａ、Ｂは、タオルＡとタオル以外の薄手の織物Ｂとであり、各素材の色を異ならしめると共に、かつタオル以外の織物の幅Ｄ２をタオルの幅Ｄ１の約半分とした例で示している。素材Ａの色は例えば茶色、素材Ｂの色は例えば白味がかった色などとしている。素材Ｂは、端部２ａ、２ｂをスカーフないしストールとして利用可能とすべく薄い生地で製作し、ファッション性を高めるようにしている。
【００２１】
図３において、（ａ）図はリボン型を示し、タオル１ａ、１ｂをたらし、薄い織物２ａ、２ｂを胸部で１回通して軽く結んだ例を示している。この場合、織物２ａ、２ｂはスカーフとして機能する。
【００２２】
図３（ｂ）図は、着付け型を示し、一方の端部１ａ、２ａをたらし、他方を肩部にはね上げた例で示す。織物Ｂを胸部にたらす場合にはストールとして機能する。
【００２３】
図３（ｃ）は、別のリボン型を示し、一方の両端部２ａ、２ｂを他方に対して１回通して前方に抜き、胸部で結んだようにした例である。イキな感じが出る。
【００２４】
図３（ｄ）は、別の着付け型を示し、一方の端部１ａ、２ａをたらし、他方の端部１ｂ、２ｂを首に回し、さらに胸部に導き、肩部にひっかけたようにした例である。
【００２５】
図３（ａ）〜（ｄ）に示した使用方法は一例を示すものであり、この他、胸部で相互に編んだり、首回りにクルクル巻いたり、１０〜２０通りの組み合わせがあり、使用者は気候に応じ、趣味趣向に応じ、バラエティーに使い分けることができ、ファッション性を高めることができる。
【００２６】
図２に他の実施形態を示す。図２のファッションマフラーＦＭ２は、第２の帯状材４を第一の帯状材１の中央に寄せて縫い目３で縫い合わせたものである。また、第２の帯状材は端部４ａ、４ｂの先端にＶ字状の加工を施した例で示す。このように、各帯状材の端部は飾り糸を付けたり、形成加工したりするのは自由である。また、縞模様を付けたりカラフルな模様を施すのも自由である。
【００２７】
本考案は上記実施形態に限定されるものではなく、各種変形を行うことにより各種態様で実施できる。
【図面の簡単な説明】
【００２８】
【図１】本考案の一実施形態を示すファッションマフラーの平面図である。
【図２】本考案の他の実施形態を示すファッションマフラーの平面図である。
【図３】図１のファッションマフラーの一使用例を示す説明図である。
【符号の説明】
【００２９】
１  第１の帯状材
１ａ、１ｂ  第１の帯状材の端部
２、４  第２の帯状材
２ａ、２ｂ、４ａ、４ｂ  第２の帯状材の端部
３  縫い目
ＦＭ１、ＦＭ２  ファッションマフラー
【図１】
0003132785.tif 000003
【図２】
0003132785.tif 000004
【図３】
0003132785.tif 000005